(57)【要約】【課題】簡単に設置作業を行う。【解決手段】塀の設置方法は、矩形平板状のプレキャストコンクリートパネル１６を塀として設置する方法であって、プレキャストコンクリートパネル１６の設置面ＩＳとなる高さに上端が位置するように、円筒状の複数の支柱１３を互いに間隔を空けて地盤ＧＲに埋設する支柱埋設工程Ｓ１１と、この支柱埋設工程Ｓ１１の後に、互いに横方向に間隔を空けて上下に貫通している複数の貫通孔１６１を有しているプレキャストコンクリートパネル１６を、複数の貫通孔１６１の各々の下端が複数の支柱１３の上端に対面するように設置面ＩＳに配置するパネル配置工程Ｓ１２と、このパネル配置工程Ｓ１２の後に、円筒状の複数の芯材１７を順次、貫通孔１６１に挿入してから支柱１３に挿入することで、複数の芯材１７でプレキャストコンクリートパネル１６を串刺し様に固定するパネル固定工程Ｓ１３と、を備えている。【選択図】図３
2020165148.tif 000002
【特許請求の範囲】
【請求項１】
矩形平板状のプレキャストコンクリートパネルを塀として設置する方法であって、
前記プレキャストコンクリートパネルの設置面となる高さに上端が位置するように、円筒状の複数の支柱を互いに間隔を空けて地盤に埋設する支柱埋設工程と、
前記支柱埋設工程の後に、互いに横方向に間隔を空けて上下に貫通している複数の貫通孔を有している前記プレキャストコンクリートパネルを、前記複数の貫通孔の各々の下端が前記複数の支柱の各々の上端に対面するように前記設置面に配置するパネル配置工程と、
前記パネル配置工程の後に、円筒状又は円柱状の複数の芯材を順次、前記貫通孔に挿入してから前記支柱に挿入することで、前記複数の芯材で前記プレキャストコンクリートパネルを串刺し様に固定するパネル固定工程と、を備えていることを特徴とする
塀の設置方法。
【請求項２】
前記支柱埋設工程は、
互いに間隔を空けて前記地盤に形成された複数の縦穴の各々に、互いに略同じ高さとなるように地上に突出させる前記支柱を立て付けると共に柱状の基礎を設ける支柱立付け工程と、
前記支柱立付け工程の後に、前記複数の支柱の上端が露出するように砕石層、捨てコンクリート層を下から順に前記地上に積層することで前記設置面を形成する設置面形成工程と、を有していることを特徴とする
請求項１に記載の塀の設置方法。
【請求項３】
矩形平板状のプレキャストコンクリートパネルを塀として設置する方法であって、
互いに間隔を空けて地盤に形成されている複数の縦穴の各々に柱状の複数の基礎を形成する基礎形成工程と、
前記基礎形成工程の後に、互いに横方向に間隔を空けて上下に貫通している複数の貫通孔を有している前記プレキャストコンクリートパネルを、前記複数の貫通孔の各々の下端が前記複数の基礎の各々に対面するように前記地盤に配置するパネル配置工程と、
前記パネル配置工程の後に、円筒状又は円柱状の複数の芯材を順次、前記貫通孔に挿入してから前記基礎に挿入することで、前記複数の芯材で前記プレキャストコンクリートパネルを串刺し様に固定するパネル固定工程と、を備えていることを特徴とする
塀の設置方法。
【請求項４】
矩形平板状のプレキャストコンクリートパネルが塀として設置されている構造であって、
前記プレキャストコンクリートパネルの設置面となる高さに上端が位置するように、互いに間隔を空けて地盤に埋設されている円筒状の複数の支柱と、
互いに横方向に間隔を空けて上下に貫通している複数の貫通孔を有していて、前記複数の貫通孔の各々の下端が前記複数の支柱の各々の上端に対面するように前記設置面に配置されている前記プレキャストコンクリートパネルと、
前記貫通孔に挿入されていると共に前記支柱に挿入されていることで前記プレキャストコンクリートパネルを串刺し様に固定している円筒状又は円柱状の複数の芯材と、を備えていることを特徴とする
塀の設置構造。
【請求項５】
互いに間隔を空けて前記地盤に形成された複数の縦穴の各々に設けられ、前記支柱が立て付けられている柱状の複数の基礎と、
砕石層、捨てコンクリート層が下から順に前記地上に積層されていることで前記設置面を形成している土台と、を備えていることを特徴とする
請求項４に記載の塀の設置構造。
【請求項６】
矩形平板状のプレキャストコンクリートパネルが塀として設置されている構造であって、
互いに間隔を空けて地盤に形成されている複数の縦穴の各々に設けられている柱状の複数の基礎と、
互いに横方向に間隔を空けて上下に貫通している複数の貫通孔を有していて、前記複数の貫通孔の各々の下端が前記複数の縦穴の各々に対面するように前記地盤に配置されているプレキャストコンクリートパネルと、
前記貫通孔に挿入されていると共に前記基礎に挿入されていることで前記プレキャストコンクリートパネルを串刺し様に固定している円筒状又は円柱状の複数の芯材と、を備えていることを特徴とする
塀の設置構造。
【発明の詳細な説明】
【技術分野】
【０００１】
本発明は、塀の設置方法及び構造に関する。
【背景技術】
【０００２】
特許文献１には、塀としてプレキャストコンクリートパネルを用いることが開示されている。この塀は、地上に突出している円筒状又は円柱状の複数の支柱に対し、プレキャストコンクリートパネルに設けられた上下に貫通する円筒状の複数の挿入部を嵌めることで築造される。
【先行技術文献】
【特許文献】
【０００３】
【特許文献１】特許第６４３６６０７号公報
【発明の概要】
【発明が解決しようとする課題】
【０００４】
このような塀を築造する場合、複数の支柱の各々に対して位置合わせをする必要があり、慎重に設置作業を行わなければならない。このため、簡単に設置作業を行うことができることが望まれていた。
【０００５】
本発明は、上記課題を鑑みてなされたものであり、簡単に設置作業を行うことができる塀の設置方法及び構造を提供することを目的とする。
【課題を解決するための手段】
【０００６】
（１）本発明は、矩形平板状のプレキャストコンクリートパネルを塀として設置する方法であって、前記プレキャストコンクリートパネルの設置面となる高さに上端が位置するように、円筒状の複数の支柱を互いに間隔を空けて地盤に埋設する支柱埋設工程と、前記支柱埋設工程の後に、互いに横方向に間隔を空けて上下に貫通している複数の貫通孔を有している前記プレキャストコンクリートパネルを、前記複数の貫通孔の各々の下端が前記複数の支柱の各々の上端に対面するように前記設置面に配置するパネル配置工程と、前記パネル配置工程の後に、円筒状又は円柱状の複数の芯材を順次、前記貫通孔に挿入してから前記支柱に挿入することで、前記複数の芯材で前記プレキャストコンクリートパネルを串刺し様に固定するパネル固定工程と、を備えていることを特徴とする塀の設置方法である。
【０００７】
本発明によれば、プレキャストコンクリートパネルを設置面に配置した後に、複数の貫通孔及び複数の支柱に対して芯材を１本ずつ挿入することでプレキャストコンクリートパネルを固定することができる。すなわち、プレキャストコンクリートパネルを配置することと固定することを別々に行うことができ、また、プレキャストコンクリートパネルを固定する際に、複数箇所の位置合わせを順々に行うことができる。このため、プレキャストコンクリートパネルを配置しながら同時に固定する場合や、複数箇所の位置合わせを同時に行わなければならない場合等と比較して、塀の設置作業を簡単に行うことができる。
【０００８】
（２）本発明はまた、前記支柱埋設工程は、互いに間隔を空けて前記地盤に形成された複数の縦穴の各々に、互いに略同じ高さとなるように地上に突出させる前記支柱を立て付けると共に柱状の基礎を設ける支柱立付け工程と、前記支柱立付け工程の後に、前記複数の支柱の上端が露出するように砕石層、捨てコンクリート層を下から順に前記地上に積層することで前記設置面を形成する設置面形成工程と、を有していることを特徴とする上記（１）に記載の塀の設置方法である。
【０００９】
本発明によれば、支柱を立て付けてから、当該支柱の上端の高さに合わせてプレキャストコンクリートパネルの設置面を形成するので、設置面となる高さに支柱の上端を確実に位置させることができる。このため、砕石層及び捨てコンクリート層を積層せずに、支柱を立て付けながら同時に設置面となる高さに支柱の上端を位置させる場合等と比較して、塀の設置作業を簡単に行うことができる。また、砕石層及び捨てコンクリート層を積層しない場合と比較して、地盤への荷重を分散させて沈下を防止することができ、ひいては、強固な塀を設置することができる。
【００１０】
（３）本発明はまた、矩形平板状のプレキャストコンクリートパネルを塀として設置する方法であって、互いに間隔を空けて地盤に形成されている複数の縦穴の各々に柱状の複数の基礎を形成する基礎形成工程と、前記基礎形成工程の後に、互いに横方向に間隔を空けて上下に貫通している複数の貫通孔を有している前記プレキャストコンクリートパネルを、前記複数の貫通孔の各々の下端が前記複数の基礎の各々に対面するように前記地盤に配置するパネル配置工程と、前記パネル配置工程の後に、円筒状又は円柱状の複数の芯材を順次、前記貫通孔に挿入してから前記基礎に挿入することで、前記複数の芯材で前記プレキャストコンクリートパネルを串刺し様に固定するパネル固定工程と、を備えていることを特徴とする塀の設置方法である。
【００１１】
本発明によれば、プレキャストコンクリートパネルを地盤に配置した後に、複数の貫通孔及び複数の基礎に対して芯材を１本ずつ挿入することでプレキャストコンクリートパネルを固定することができる。すなわち、プレキャストコンクリートパネルを配置することと固定することを別々に行うことができ、また、プレキャストコンクリートパネルを固定する際に、複数箇所の位置合わせを順々に行うことができる。このため、プレキャストコンクリートパネルを配置しながら同時に固定する場合や、複数箇所の位置合わせを同時に行わなければならない場合等と比較して、塀の設置作業を簡単に行うことができる。
【００１２】
（４）本発明はまた、矩形平板状のプレキャストコンクリートパネルが塀として設置されている構造であって、前記プレキャストコンクリートパネルの設置面となる高さに上端が位置するように、互いに間隔を空けて地盤に埋設されている円筒状の複数の支柱と、互いに横方向に間隔を空けて上下に貫通している複数の貫通孔を有していて、前記複数の貫通孔の各々の下端が前記複数の支柱の各々の上端に対面するように前記設置面に配置されている前記プレキャストコンクリートパネルと、前記貫通孔に挿入されていると共に前記支柱に挿入されていることで前記プレキャストコンクリートパネルを串刺し様に固定している円筒状又は円柱状の複数の芯材と、を備えていることを特徴とする塀の設置構造である。
【００１３】
本発明によれば、プレキャストコンクリートパネルを設置面に配置した後に、複数の貫通孔及び複数の支柱に対して芯材を１本ずつ挿入することでプレキャストコンクリートパネルを固定することができる。すなわち、プレキャストコンクリートパネルを配置することと固定することを別々に行うことができ、また、プレキャストコンクリートパネルを固定する際に、複数箇所の位置合わせを順々に行うことができる。このため、プレキャストコンクリートパネルを配置しながら同時に固定する場合や、複数箇所の位置合わせを同時に行わなければならない場合等と比較して、塀の設置作業を簡単に行うことができる。
【００１４】
（５）本発明はまた、互いに間隔を空けて前記地盤に形成された複数の縦穴の各々に設けられ、前記支柱が立て付けられている柱状の複数の基礎と、砕石層、捨てコンクリート層が下から順に前記地上に積層されていることで前記設置面を形成している土台と、を備えていることを特徴とする上記（４）に記載の塀の設置構造である。
【００１５】
本発明によれば、支柱を立て付けてから、当該支柱の上端の高さに合わせてプレキャストコンクリートパネルの設置面を形成するので、設置面となる高さに支柱の上端を確実に位置させることができる。このため、砕石層及び捨てコンクリート層を積層せずに、支柱を立て付けながら同時に設置面となる高さに支柱の上端を位置させる場合等と比較して、塀の設置作業を簡単に行うことができる。また、砕石層及び捨てコンクリート層を積層しない場合と比較して、地盤への荷重を分散させて沈下を防止することができ、ひいては、強固な塀を設置することができる。
【００１６】
（６）本発明はまた、矩形平板状のプレキャストコンクリートパネルが塀として設置されている構造であって、互いに間隔を空けて地盤に形成されている複数の縦穴の各々に設けられている柱状の複数の基礎と、互いに横方向に間隔を空けて上下に貫通している複数の貫通孔を有していて、前記複数の貫通孔の各々の下端が前記複数の縦穴の各々に対面するように前記地盤に配置されているプレキャストコンクリートパネルと、前記貫通孔に挿入されていると共に前記基礎に挿入されていることで前記プレキャストコンクリートパネルを串刺し様に固定している円筒状又は円柱状の複数の芯材と、を備えていることを特徴とする塀の設置構造である。
【００１７】
本発明によれば、プレキャストコンクリートパネルを地盤に配置した後に、複数の貫通孔及び複数の基礎に対して芯材を１本ずつ挿入することでプレキャストコンクリートパネルを固定することができる。すなわち、プレキャストコンクリートパネルを配置することと固定することを別々に行うことができ、また、プレキャストコンクリートパネルを固定する際に、複数箇所の位置合わせを順々に行うことができる。このため、プレキャストコンクリートパネルを配置しながら同時に固定する場合や、複数箇所の位置合わせを同時に行わなければならない場合等と比較して、塀の設置作業を簡単に行うことができる。
【発明の効果】
【００１８】
本発明の上記（１）〜（３）に記載の塀の設置方法、及び上記（４）〜（６）に記載の塀の設置構造によれば、簡単に設置作業を行うことができる。
【図面の簡単な説明】
【００１９】
【図１】本発明の第１実施形態に係る塀の設置構造を示す正面図である。
【図２】図１の塀の設置構造を示す分解正面図である。
【図３】本発明の第１実施形態に係る塀の設置方法で塀の設置構造を施工する流れを説明するフローチャートである。
【図４Ａ】図３の塀の設置方法において支柱立付け工程を実施した後の状態を示す正面図である。
【図４Ｂ】図３の塀の設置方法において設置面形成工程を実施した後の状態を示す正面図である。
【図４Ｃ】図３の塀の設置方法においてパネル配置工程を実施した後の状態を示す正面図である。
【図４Ｄ】図３の塀の設置方法においてパネル固定工程を実施する前の状態を示す正面図である。
【図４Ｅ】図３の塀の設置方法において全ての工程を実施した後の塀の設置構造が完成した状態を示す正面図である。
【図５】本発明の第２実施形態に係る塀の設置構造を示す正面図である。
【図６】図５の塀の設置構造を示す分解正面図である。
【図７】本発明の第２実施形態に係る塀の設置方法で塀の設置構造を施工する流れを説明するフローチャートである。
【図８Ａ】図７の塀の設置方法において基礎形成工程を実施した後の状態を示す正面図である。
【図８Ｂ】図７の塀の設置方法においてパネル配置工程を実施した後の状態を示す正面図である。
【図８Ｃ】図７の塀の設置方法においてパネル固定工程を実施する前の状態を示す正面図である。
【図８Ｄ】図７の塀の設置方法において全ての工程を実施した後の塀の設置構造が完成した状態を示す正面図である。
【発明を実施するための形態】
【００２０】
以下、図面を参照して、本発明の実施形態に係る塀の設置構造１１，２１について詳細に説明する。
【００２１】
［第１実施形態］まず、図１及び図２を用いて、第１実施形態に係る塀の設置構造１１の構成について説明する。図１は、塀の設置構造１１を示す正面図である。図２は、塀の設置構造１１を示す分解斜視図である。
【００２２】
図１及び図２に示す塀の設置構造１１は、長尺横長で矩形平板状のプレキャストコンクリートパネル１６が塀として設置されている構造である。具体的に、塀の設置構造１１は、複数の基礎１２と、複数の支柱１３と、砕石層１４と、捨てコンクリート層１５と、プレキャストコンクリートパネル１６と、複数の芯材１７と、等を備えている。
【００２３】
基礎１２は、地盤ＧＲの縦穴に設けられている円柱状の基礎であり、地盤ＧＲの縦穴に充填された生コンクリート等の充填材が、支柱１３が立て付けられた後に固化したものである。複数の基礎１２は、互いに、プレキャストコンクリートパネル１６を上下に貫通している貫通孔１６１同士の間隔に応じた間隔を空けて設けられている。
【００２４】
支柱１３は、基礎１２の深さよりも長い長さを有していて、且つ、例えば７６．８ｍｍの外径寸法を有している円筒状の鋼管である。複数の支柱１３は、プレキャストコンクリートパネル１６の設置面ＩＳとなる高さに上端が位置するように、複数の基礎１２の各々に立て付けられていて、互いに間隔を空けて地上に突出している。複数の支柱１３の各々には、プレキャストコンクリートパネル１６の貫通孔１６１に挿入されている芯材１７が挿入されていて、その隙間がセメントグラウトで埋められている。支柱１３における地上に突出している部分の長さは、砕石層１４及び捨てコンクリート層１５の合計の厚さと略同じになるように設定されている。
【００２５】
砕石層１４は、地上に砕石が敷き詰められた層で、例えば５０ｍｍの厚みを有していて、捨てコンクリート層１５と共にプレキャストコンクリートパネル１６の土台となる。捨てコンクリート層１５は、砕石層１４の上に敷かれた層で、例えば１００ｍｍの厚みを有していて、砕石層１４と共に地上に積層されていることで、設置面ＩＳを形成してプレキャストコンクリートパネル１６の土台となる。
【００２６】
プレキャストコンクリートパネル１６は、例えば横幅が２０００ｍｍから４０００ｍｍ程度の寸法を有しており、例えば４００ｍｍ×４０００ｍｍ×１１０ｍｍの縦、横、厚みの寸法を有している。このプレキャストコンクリートパネル１６は、互いに横方向に間隔を空けて上下に貫通している複数の貫通孔１６１を有していて、複数の貫通孔１６１の各々の下端が複数の支柱１３の各々の上端に対面するように設置面ＩＳに配置されている。このプレキャストコンクリートパネル１６は、複数の貫通孔１６１の各々に挿入されている芯材１７が支柱１３に挿入されていることで串刺し様に固定されている。複数の貫通孔１６１の各々は、芯材１７の外径と比較して若干大きい内径を有している円柱状である。複数の貫通孔１６１の各々には、芯材１７が挿入されていて、その隙間がセメントグラウトで埋められている。
【００２７】
芯材１７は、支柱１３の長さとプレキャストコンクリートパネル１６の貫通孔１６１の長さの合計よりも若干短い長さを有していて、且つ、例えば４１．０ｍｍの外径寸法を有している円筒状の鋼管である。複数の芯材１７の各々は、プレキャストコンクリートパネル１６の貫通孔１６１に挿入されていると共に支柱１３に挿入されていることで、プレキャストコンクリートパネル１６を串刺し様に固定している。
【００２８】
次に、図３、図４Ａ、図４Ｂ、図４Ｃ、図４Ｄ及び図４Ｅを用いて、塀の設置方法で塀の設置構造１１を施工する流れについて説明する。
【００２９】
図３は、塀の設置方法で塀の設置構造１１を施工する流れを説明するフローチャートである。図４Ａは、塀の設置方法において支柱立付け工程Ｓ１１１を実施した後の状態を示す正面図である。図４Ｂは、塀の設置方法において設置面形成工程Ｓ１１２を実施した後の状態を示す正面図である。図４Ｃは、塀の設置方法においてパネル配置工程Ｓ１２を実施した後の状態を示す正面図である。図４Ｄは、塀の設置方法においてパネル固定工程Ｓ１３を実施する前の状態を示す正面図である。図４Ｅは、塀の設置方法において全ての工程を実施した後の塀の設置構造が完成した状態を示す正面図である。
【００３０】
図３に示す塀の設置方法は、長尺横長で矩形平板状のプレキャストコンクリートパネル１６を塀として設置する方法である。具体的に、塀の設置方法は、支柱埋設工程Ｓ１１と、パネル配置工程Ｓ１２と、パネル固定工程Ｓ１３と、を備えている。支柱埋設工程Ｓ１１は、支柱立付け工程Ｓ１１１と、設置面形成工程Ｓ１１２と、を有している。
【００３１】
支柱埋設工程Ｓ１１は、プレキャストコンクリートパネル１６の設置面ＩＳとなる高さに上端が位置するように、円筒状の複数の支柱１３を互いに間隔を空けて地盤ＧＲに埋設する工程である。
【００３２】
支柱埋設工程Ｓ１１が有する支柱立付け工程Ｓ１１１は、互いに、プレキャストコンクリートパネル１６を上下に貫通している貫通孔１６１同士の間隔に応じた間隔を空けて地盤ＧＲに複数の縦穴を形成してから、互いに間隔を空けて地盤ＧＲに形成された複数の縦穴の各々に、互いに略同じ高さとなるように地上に突出させる支柱１３を立て付けると共に、生コンクリート等の充填材を充填することで円柱状の基礎１２を設ける工程である。
【００３３】
支柱埋設工程Ｓ１１が有する設置面形成工程Ｓ１１２は、支柱立付け工程Ｓ１１１の後に、複数の支柱１３の上端が露出するように砕石層１４、捨てコンクリート層１５を下から順に地上に積層することで設置面ＩＳを形成する工程である。
【００３４】
パネル配置工程Ｓ１２は、支柱埋設工程Ｓ１１の後に、互いに横方向に間隔を空けて上下に貫通している複数の貫通孔１６１を有しているプレキャストコンクリートパネル１６を、複数の貫通孔１６１の各々の下端が複数の支柱１３の各々の上端に対面するように設置面ＩＳに配置する工程である。
【００３５】
パネル固定工程Ｓ１３は、パネル配置工程Ｓ１２の後に、円筒状の複数の芯材１７を順次、貫通孔１６１に挿入してから支柱１３に挿入することで、複数の芯材１７でプレキャストコンクリートパネル１６を串刺し様に固定する工程である。このパネル固定工程Ｓ１３では、芯材１７とプレキャストコンクリートパネル１６の貫通孔１６１との隙間、及び芯材１７と支柱１３との隙間にセメントグラウトを流し込むことで、芯材１７をプレキャストコンクリートパネル１６及び支柱１３に固着させる。
【００３６】
このように、塀の設置構造１１によれば、プレキャストコンクリートパネル１６を設置面ＩＳに配置した後に、複数の貫通孔１６１及び複数の支柱１３に対して芯材１７を１本ずつ挿入することでプレキャストコンクリートパネル１６を固定することができる。すなわち、プレキャストコンクリートパネル１６を配置することと固定することを別々に行うことができ、また、プレキャストコンクリートパネル１６を固定する際に、複数箇所の位置合わせを順々に行うことができる。このため、プレキャストコンクリートパネル１６を配置しながら同時に固定する場合や、複数箇所の位置合わせを同時に行わなければならない場合等と比較して、塀の設置作業を簡単に行うことができる。
【００３７】
また、塀の設置構造１１によれば、支柱１３を立て付けてから、当該支柱１３の上端の高さに合わせてプレキャストコンクリートパネル１６の設置面ＩＳを形成するので、設置面ＩＳとなる高さに支柱１３の上端を確実に位置させることができる。このため、砕石層１４及び捨てコンクリート層１５を積層しない場合と比較して、地盤ＧＲへの荷重を分散させて沈下を防止することができ、ひいては、強固な塀を設置することができる。
【００３８】
［第２実施形態］次に、図５及び図６を用いて、第２実施形態に係る塀の設置構造２１の構成について説明する。図５は、塀の設置構造２１を示す正面図である。図６は、塀の設置構造２１を示す分解斜視図である。なお、第１実施形態と同様の構成、作用及び効果についての説明は適宜省略する。
【００３９】
図５及び図６に示す塀の設置構造２１は、複数の支柱１３、砕石層１４及び捨てコンクリート層１５を備えていない点で、第１実施形態と相違する。
【００４０】
基礎１２は、地盤ＧＲの縦穴に充填された生コンクリート等の充填材が、芯材１７が挿入された後に固化したものである。
【００４１】
プレキャストコンクリートパネル１６は、複数の貫通孔１６１の各々の下端が、地盤ＧＲに形成された複数の縦穴の各々に対面するように地盤ＧＲに配置されている。このプレキャストコンクリートパネル１６は、複数の貫通孔１６１の各々に挿入されている芯材１７が基礎１２に挿入されていることで串刺し様に固定されている。
【００４２】
複数の芯材１７の各々は、プレキャストコンクリートパネル１６の貫通孔１６１に挿入されていると共に基礎１２に挿入されていることで、プレキャストコンクリートパネル１６を串刺し様に固定している。
【００４３】
次に、図７、図８Ａ、図８Ｂ、図８Ｃ及び図８Ｄを用いて、塀の設置方法で塀の設置構造２１を施工する流れについて説明する。
【００４４】
図７は、塀の設置方法で塀の設置構造を施工する流れを説明するフローチャートである。図８Ａは、塀の設置方法において基礎形成工程Ｓ２１を実施した後の状態を示す正面図である。図８Ｂは、塀の設置方法においてパネル配置工程Ｓ２２を実施した後の状態を示す正面図である。図８Ｃは、塀の設置方法においてパネル固定工程Ｓ２３を実施する前の状態を示す正面図である。図８Ｄは、塀の設置方法において全ての工程を実施した後の塀の設置構造が完成した状態を示す正面図である。
【００４５】
図７に示す塀の設置方法は、支柱埋設工程Ｓ１１に代えて基礎形成工程Ｓ２１を備えている点等で、第１実施形態と相違する。具体的に、塀の設置方法は、基礎形成工程Ｓ２１と、パネル配置工程Ｓ２２と、パネル固定工程Ｓ２３と、を備えている。
【００４６】
基礎形成工程Ｓ２１は、互いに間隔を空けて地盤ＧＲに形成されている複数の縦穴の各々に柱状の複数の基礎１２を形成する工程である。
【００４７】
パネル配置工程Ｓ２２は、基礎形成工程Ｓ２１の後に、プレキャストコンクリートパネル１６を、複数の貫通孔１６１の各々の下端が複数の基礎１２の各々に対面するように地盤ＧＲに配置する工程である。
【００４８】
パネル固定工程Ｓ２３は、パネル配置工程Ｓ２２の後に、芯材１７を順次、貫通孔１６１に挿入してから基礎１２に挿入することで、複数の芯材１７でプレキャストコンクリートパネル１６を串刺し様に固定する工程である。このパネル固定工程Ｓ２３では、芯材１７とプレキャストコンクリートパネル１６の貫通孔１６１との隙間にセメントグラウトを流し込むことで、芯材１７をプレキャストコンクリートパネル１６に固着させる。
【００４９】
このように、塀の設置構造２１によれば、プレキャストコンクリートパネル１６を地盤ＧＲに配置した後に、複数の貫通孔１６１及び複数の基礎１２に対して芯材１７を１本ずつ挿入することでプレキャストコンクリートパネル１６を固定することができる。すなわち、プレキャストコンクリートパネル１６を配置することと固定することを別々に行うことができ、また、プレキャストコンクリートパネル１６を固定する際に、複数箇所の位置合わせを順々に行うことができる。このため、プレキャストコンクリートパネル１６を配置しながら同時に固定する場合や、複数箇所の位置合わせを同時に行わなければならない場合等と比較して、塀の設置作業を簡単に行うことができる。
【００５０】
本発明は、上記各実施形態に限られるものではなく、その趣旨及び技術思想を逸脱しない範囲で種々の変形が可能である。すなわち、各構成の位置、大きさ、長さ、数量、形状、材質などは適宜変更できる。
【００５１】
例えば、上記各実施形態において、基礎１２、支柱１３、貫通孔１６１、芯材１７等の数量は、適宜変更してもよい。
【００５２】
具体的に、上記各実施形態において、３個の基礎１２が設けられている場合を例に説明したが、本発明はこれに限定されず、２個の基礎１２が設けられている場合でもよいし、４個以上の基礎１２が設けられている場合でもよい。この場合、支柱１３、貫通孔１６１、芯材１７の各々は、基礎１２の数に一致する数になる。
【００５３】
あるいは、上記各実施形態において、芯材１７は、円筒状である場合を例に説明したが、本発明はこれに限定されず、芯材１７は、円柱状であってもよい。
【００５４】
あるいは、上記各実施形態において、１枚のプレキャストコンクリートパネル１６を設置する場合を例に説明したが、本発明はこれに限定されず、複数枚のプレキャストコンクリートパネル１６を積み重ねるように配置してもよい。この場合、上記各実施形態の場合と同様、パネル配置工程Ｓ１２，Ｓ２２において複数のプレキャストコンクリートパネル１６を支持しながら積み重ねるように配置した後に、パネル固定工程Ｓ１３，Ｓ２３において複数のプレキャストコンクリートパネル１６を芯材１７でまとめて串刺し様に固定することになる。
【００５５】
あるいは、上記第２実施形態において、プレキャストコンクリートパネル１６を地盤ＧＲに直接配置する場合を例に説明したが、本発明はこれに限定されず、プレキャストコンクリートパネル１６を地盤ＧＲに間接的に配置するようにしてもよい。この場合、砕石層、捨てコンクリート層を下から順に地盤ＧＲの上に積層してから、プレキャストコンクリートパネル１６を配置することが考えられる。
【符号の説明】
【００５６】
１１，２１  塀の設置構造
１２  基礎
１３  支柱
１４  砕石層
１５  捨てコンクリート層
１６  プレキャストコンクリートパネル
１６１  貫通孔
１７  芯材
ＩＳ  設置面
ＧＲ  地盤
Ｓ１１  支柱埋設工程
Ｓ１１１  支柱立付け工程
Ｓ１１２  設置面形成工程
Ｓ１２，Ｓ２２  パネル配置工程
Ｓ１３，Ｓ２３  パネル固定工程
Ｓ２１  基礎形成工程
【図１】
2020165148.tif 000003
【図２】
2020165148.tif 000004
【図３】
2020165148.tif 000005
【図４Ａ】
2020165148.tif 000006
【図４Ｂ】
2020165148.tif 000007
【図４Ｃ】
2020165148.tif 000008
【図４Ｄ】
2020165148.tif 000009
【図４Ｅ】
2020165148.tif 000010
【図５】
2020165148.tif 000011
【図６】
2020165148.tif 000012
【図７】
2020165148.tif 000013
【図８Ａ】
2020165148.tif 000014
【図８Ｂ】
2020165148.tif 000015
【図８Ｃ】
2020165148.tif 000016
【図８Ｄ】
2020165148.tif 000017
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
矩形平板状のプレキャストコンクリートパネルを塀として設置する方法であって、
前記プレキャストコンクリートパネルの設置面となる高さに上端が位置するように、円筒状の複数の支柱を互いに間隔を空けて地盤に埋設する支柱埋設工程と、
前記支柱埋設工程の後に、互いに横方向に間隔を空けて上下に貫通している複数の貫通孔を有している前記プレキャストコンクリートパネルを、前記複数の貫通孔の各々の下端が前記複数の支柱の各々の上端に対面するように前記設置面に配置するパネル配置工程と、
前記パネル配置工程の後に、円筒状又は円柱状の複数の芯材を順次、前記貫通孔に挿入してから前記支柱に挿入することで、前記複数の芯材で前記プレキャストコンクリートパネルを串刺し様に固定するパネル固定工程と、を備えていることを特徴とする
塀の設置方法。
【請求項２】
前記支柱埋設工程は、
互いに間隔を空けて前記地盤に形成された複数の縦穴の各々に、互いに略同じ高さとなるように地上に突出させる前記支柱を立て付けると共に柱状の基礎を設ける支柱立付け工程と、
前記支柱立付け工程の後に、前記複数の支柱の上端が露出するように砕石層、捨てコンクリート層を下から順に前記地上に積層することで前記設置面を形成する設置面形成工程と、を有していることを特徴とする
請求項１に記載の塀の設置方法。
【請求項３】
矩形平板状のプレキャストコンクリートパネルを塀として設置する方法であって、
互いに間隔を空けて地盤に形成されている複数の縦穴の各々に柱状の複数の基礎を形成する基礎形成工程と、
前記基礎形成工程の後に、互いに横方向に間隔を空けて上下に貫通している複数の貫通孔を有している前記プレキャストコンクリートパネルを、前記複数の貫通孔の各々の下端が前記複数の基礎の各々に対面するように前記地盤に配置するパネル配置工程と、
前記パネル配置工程の後に、円筒状又は円柱状の複数の芯材を順次、前記貫通孔に挿入してから前記基礎に挿入することで、前記複数の芯材で前記プレキャストコンクリートパネルを串刺し様に固定するパネル固定工程と、を備えていることを特徴とする
塀の設置方法。
【手続補正３】
【補正対象書類名】明細書
【補正対象項目名】０００１
【補正方法】変更
【補正の内容】
【０００１】
本発明は、塀の設置方法に関する。
【手続補正４】
【補正対象書類名】明細書
【補正対象項目名】０００５
【補正方法】変更
【補正の内容】
【０００５】
本発明は、上記課題を鑑みてなされたものであり、簡単に設置作業を行うことができる塀の設置方法を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明の上記（１）〜（３）に記載の塀の設置方法によれば、簡単に設置作業を行うことができる。